(57)【要約】【課題】使用者が表示された情報を容易に確認することができる表示装置を提供すること。【解決手段】略リング状のケース２と、このケース２の周面に略全体に亘って配置された帯状の表示パネル３０と、ケース２に設けられた入力操作可能な操作ボタン４３Ａとを備える。表示パネル３０には、周面の略全体を占める範囲に形成された全体表示部３１と、この全体表示部３１よりも狭い範囲に形成された局所表示部３２とが設けられる。局所表示部３２は、操作ボタン４３Ａの近傍に設けられている。操作ボタン４３Ａを操作することで、局所表示部３２に時刻が表示される。従って、使用者が操作ボタン４３Ａを操作することによって、操作ボタン４３Ａの近傍の局所表示部３２に時刻が表示されるので、使用者が時刻を容易に確認することができる。【選択図】図８
2008165155.tif 000002
【特許請求の範囲】
【請求項１】
略リング状のケースと、
このケースの周面に略全体に亘って配置された帯状の表示部と、
前記ケースに設けられた入力操作可能な入力手段とを備え、
前記表示部は、当該表示部の周面の略全体を占める範囲に形成された全体表示部と、
この全体表示部よりも狭い範囲に形成された局所表示部とを備え、
前記局所表示部は、前記入力手段の近傍に設けられ、
前記入力手段が操作されることによって、前記局所表示部に所定の情報が表示される
ことを特徴とする表示装置。
【請求項２】
請求項１に記載の表示装置において、
前記局所表示部は、前記表示部の長手方向の端部に設けられていることを特徴とする表示装置。
【請求項３】
略リング状のケースと、
このケースの周面に略全体に亘って配置された帯状の表示部と、
この表示部の長手方向に沿った両端部間を覆うカバー部材とを備え、
前記表示部は、当該表示部の周面の略全体を占める範囲に形成された全体表示部と、
この全体表示部よりも狭い範囲に形成された局所表示部とを備え、
前記局所表示部は、前記カバー部材の近傍に設けられ、
前記局所表示部には所定の情報が表示されることを特徴とする表示装置。
【請求項４】
略リング状のケースと、
このケースの周面に略全体に亘って配置された帯状の表示部と、
この表示部の長手方向に沿った両端部間を覆うカバー部材と、
前記ケースに設けられた入力操作可能な入力手段とを備え、
前記表示部は、当該表示部の周面の略全体を占める範囲に形成された全体表示部と、
この全体表示部よりも狭い範囲に形成された局所表示部とを備え、
前記局所表示部は、前記入力手段およびカバー部材の近傍に設けられ、
前記入力手段が操作されることによって、前記局所表示部に所定の情報が表示されることを特徴とする表示装置。
【請求項５】
請求項１ないし請求項４のいずれかに記載の表示装置において、
前記所定の情報は、計時情報であることを特徴とする表示装置。
【請求項６】
請求項１ないし請求項５のいずれかに記載の表示装置において、
前記全体表示部には、計時情報に対応するデザインされた画像が領域全体を使って表示されることを特徴とする表示装置。
【請求項７】
請求項６に記載の表示装置において、
前記計時情報は、時および分に係る情報であり、
前記全体表示部には、前記時および分に係る情報が、時系列の一連の数字により、当該全体表示部の長手方向に沿って配列されて表示されることを特徴とする表示装置。
【発明の詳細な説明】
【技術分野】
【０００１】
本発明は、表示装置に関する。
【背景技術】
【０００２】
近年、電気泳動現象を利用した電気泳動表示パネルを有する表示装置が開発されている。このような電気泳動表示パネルは、フレキシブル基板によって構成され、可撓性を有している。これによって、表示パネルをリング状のブレスレッド型ケースの外周部に沿って設けて腕などに装着可能な携帯型の表示装置が提案されている（特許文献１）。
【０００３】
【特許文献１】特開２００５−２５０４４２号公報（図５、図６）
【発明の開示】
【発明が解決しようとする課題】
【０００４】
しかしながら、前述のような表示装置において、計時情報をデザインされた数字、記号等によって表示パネルの全体に亘って表示させた場合に、ケースがリング状であるため、使用者が表示パネルを見た際に、使用者の視界に入らない部分が生じてしまう。すなわち、表示パネルがリング状のケースの外周部に沿って設けられているので、表示パネルの表示部分の一部がケースの裏側になってしまい、使用者が表示パネルを見た際に、使用者の視界に入らない部分が生じてしまう。
このため、使用者が表示パネルの全体に亘って表示された計時情報をすぐに確認したい場合には、その表示部分が視界に入るように表示装置を動かすなどの操作をしなければならず、手間が掛かった。
【０００５】
本発明の目的は、使用者が表示された情報を容易に確認することができる表示装置を提供することである。
【課題を解決するための手段】
【０００６】
本発明の表示装置は、略リング状のケースと、このケースの周面に略全体に亘って配置された帯状の表示部と、前記ケースに設けられた入力操作可能な入力手段とを備え、前記表示部は、当該表示部の周面の略全体を占める範囲に形成された全体表示部と、この全体表示部よりも狭い範囲に形成された局所表示部とを備え、前記局所表示部は、前記入力手段の近傍に設けられ、前記入力手段が操作されることによって、前記局所表示部に所定の情報が表示されることを特徴とする。
【０００７】
ここで、略リング状のケースには、完全なリング状に形成されたケースが含まれるとともに、例えば断面略Ｃ字状または断面略コ字状に形成されたケースのように、途中で分断された不完全なリング状のケースも含まれる。
また、局所表示部が全体表示部よりも狭い範囲に形成されるとは、使用者が当該局所表示部を正面から見た場合に、使用者の視界に当該局所表示部が入る程度の範囲に局所表示部が形成されることを示す。
また、入力手段の近傍に局所表示部が設けられるとは、使用者が入力手段を操作した際に、局所表示部が自然と使用者の視界に入る程度の近さに当該局所表示部が設けられていることを示す。
【０００８】
この発明によれば、表示部がリング状のケースの周面に配置されているので、使用者が全体表示部の一部を正面から見た場合に、当該全体表示部の他の一部が使用者の視界に入らないケースの反対側の周面に配置されてしまい、全体表示部に表示された各種情報の少なくとも一部が隠れてしまう。このような場合には、使用者が表示装置を移動させる、あるいは、使用者自身が移動することで、隠れている表示を見る必要がある。これに対して、本発明によれば、使用者が入力手段を操作することによって、入力手段の近傍の局所表示部に所定の情報が表示されるので、使用者が情報を確認し易くすることができ、操作性を向上させることができる。
【０００９】
本発明の表示装置では、前記局所表示部は、前記表示部の長手方向の端部に設けられていることが好ましい。
このような発明によれば、局所表示部が表示部の長手方向の端部に設けられているので、全体表示部が当該局所表示部によって分断されずにすむ。すなわち、全体表示部は、表示部が帯状であるため、表示部の長手方向の端部で分断される。このため、表示部の長手方向の中間位置に局所表示部を設けた場合には、全体表示部が表示部の端部および局所表示部の複数箇所で分断されてしまう。これに対して、本発明のように、局所表示部が表示部の長手方向の端部に設けられていれば、表示部の分断箇所を一箇所に集約することができ、全体表示部が複数箇所で分断されずにすむ。従って、全体表示部にアニメーションや画像等を表示させた場合に、これらの画像等が複数箇所で分断されることなく表示できるので、表示装置の意匠性を向上させることができる。
【００１０】
本発明の表示装置は、
略リング状のケースと、
このケースの周面に略全体に亘って配置された帯状の表示部と、
この表示部の長手方向に沿った両端部間を覆うカバー部材とを備え、前記表示部は、当該表示部の周面の略全体を占める範囲に形成された全体表示部と、この全体表示部よりも狭い範囲に形成された局所表示部とを備え、前記局所表示部は、前記カバー部材の近傍に設けられ、前記局所表示部には所定の情報が表示されることを特徴とする。
【００１１】
ここで、表示部の長手方向に沿った両端部は、互いに所定寸法離れて配置されていてもよく、あるいは、表示部の長手方向に沿った両端部は、間隔を設けずに互いに当接して配置されていてもよい。また、局所表示部がカバー部材の近傍に設けられた状態とは、局所表示部とカバー部材との間に他の表示領域を形成することができない程度に両者が隣り合って配置されている状態を示す。
この発明によれば、局所表示部がカバー部材の近くに設けられているので、全体表示部が当該局所表示部によって分断されずにすむ。すなわち、表示部においてカバー部材から離れた位置に局所表示部を設けた場合には、全体表示部がカバー部材および局所表示部の複数箇所で分断されてしまう。これに対して、本発明では、局所表示部がカバー部材の近くに設けられているので、全体表示部の分断箇所を一箇所に集約することができ、全体表示部が複数箇所で分断されずにすむ。従って、全体表示部にアニメーションや画像等を表示させた場合に、これらの画像等が複数箇所で分断されることなく表示できるので、表示装置の意匠性を向上させることができる。
また、使用者がカバー部材を目印として局所表示部の表示位置をすぐに判断することができるので、使用者が所定の情報を確認し易くすることができる。
また、カバー部材が表示部の両端間を覆うように配置されているので、表示部のつなぎ目が隠れ、良好な外観が得られる。
【００１２】
本発明の表示装置は、略リング状のケースと、このケースの周面に略全体に亘って配置された帯状の表示部と、この表示部の長手方向に沿った両端部間を覆うカバー部材と、前記ケースに設けられた入力操作可能な入力手段とを備え、前記表示部は、当該表示部の周面の略全体を占める範囲に形成された全体表示部と、この全体表示部よりも狭い範囲に形成された局所表示部とを備え、前記局所表示部は、前記入力手段およびカバー部材の近傍に設けられ、前記入力手段が操作されることによって、前記局所表示部に所定の情報が表示されることを特徴とする。
【００１３】
この発明によれば、前述の効果と同様の効果を奏することができる。すなわち、局所表示部が入力手段の近傍に設けられているので、使用者が入力手段を操作すれば、使用者の視界の中に所定の情報が表示されるので、使用者がすぐに情報を確認することができ、操作性が向上される。
また、局所表示部がカバー部材の近傍に設けられているので、全体表示部の分断箇所を一箇所に集約することができ、全体表示部が複数箇所で分断されずにすみ、表示装置の意匠性が向上される。
【００１４】
本発明の表示装置では、前記所定の情報は、計時情報であることが好ましい。
この発明によれば、入力手段またはカバー部材の近傍に、あるいは、入力手段およびカバー部材の近傍に設けられた局所表示部に計時情報が表示されるので、使用者が時刻を確認したい場合に、容易に時刻を確認することができる。
【００１５】
本発明の表示装置では、前記全体表示部には、計時情報に対応するデザインされた画像が領域全体を使って表示されることが好ましい。
この発明によれば、全体表示部に、計時情報に対応するデザインされた画像、例えば、時分情報に対応するデザインされた数字、記号または文字などが領域全体を使って表示されるので、使用者が全体表示部に表示される画像を見て楽しむことができる。
【００１６】
本発明の表示装置では、前記計時情報は、時および分に係る情報であり、前記全体表示部には、前記時および分に係る情報が、時系列の一連の数字により、当該全体表示部の長手方向に沿って配列されて表示されることが好ましい。
この発明によれば、計時情報が、全体表示部の長手方向に沿って配置されているので、全体表示部に表示された情報が見易くなり、その表示位置に基づく情報の種類の判断が容易となる。
【発明の効果】
【００１７】
本発明の表示装置によれば、使用者が情報を容易に確認することができるという効果がある。
【発明を実施するための最良の形態】
【００１８】
以下、本発明の一実施形態を図面に基づいて説明する。
［１．全体構成］
図１は、本実施形態の表示装置としての電子時計１の斜視図である。この時計１は、円環状のケース２の外周面に沿って略全体に亘って配置された表示部としての表示パネル３０が設けられ、その環の中に腕などを通して装着するブレスレットタイプのウォッチとされている。
【００１９】
時計１は、ケース２と、電気泳動ディスプレイである帯状の表示パネル３０を有する表示モジュール３とを備えている。ケース２は、両端縁からケース２の径方向外側に突出する凸部２１，２１を有して全体がボビン形状とされ、凸部２１，２１の間に表示モジュール３が組み込まれている。また、ケース２は、表示モジュール３を覆うカバーガラス２２を有する。
【００２０】
［２．表示モジュール３の構成］
表示モジュール３は、表示パネル３０と、この表示パネル３０を駆動するとともに計時部を備える駆動回路部４０とを有して構成されている。
図２は、表示モジュール３における表示パネル３０および回路基板４２の平面図である。なお、図２では、分かり易くするために、電気泳動ディスプレイである表示パネル３０を平面的（湾曲していない状態）に表した。図２に示すように、回路基板４２と、表示パネル３０とは個別に製造され、異方性導電膜（ＡＣＦ；Anisotropic Condactive Film）などによる配線部材４１で接続されている。
【００２１】
回路基板４２は、ポリイミドやポリエステルなどの可撓性を有する樹脂から形成されたフレキシブル基板である。回路基板４２上には、時計１全体を制御する制御用コントローラ４２１と、ドライバＩＣから構成されて表示パネル３０の表示制御を実行する表示駆動回路素子４２２と、タッチセンサ４２３と、計時部を構成する発振回路４２４とがそれぞれ実装されている。
図３は、時計１の電気的構成を示す。駆動回路部４０に実装される制御用コントローラ４２１は、表示パネル３０、一次電池７、各タッチセンサ４２３用の入力手段としての操作ボタン４３および発振回路４２４と電気的に接続されている。発振回路４２４は、時刻を計時するための発振パルスを発生するものである。
【００２２】
［３．表示パネル３０の各セグメント電極］
図４は、表示パネル３０の平面図である。このように表示パネル３０の略全体に亘り、数字や文字等が分散するようにレイアウトされている。これらの数字や文字１つ１つに対応して、それら数字や文字の形状に形成されたセグメント電極６０がそれぞれ設けられている。これらのセグメント電極６０は、複数種類の表示要素に分けられるが、その種類の区別が必要でない場合、これらをセグメント電極６０と総称する。
図４の表示状態は、殆どすべてのセグメント電極６０に対応する領域を表示パネル３０上に黒色で表示した状態となっている。
【００２３】
また、表示パネル３０の長手方向一端部には、数字１個あたり７つのセグメントを使用した７セグ表示部が配置されている。この７セグ表示部における数字１つあたり７個のセグメントおよびコロンはそれぞれ、セグメント電極６０により構成されている。本実施形態では、この７セグ表示部によって局所表示部３２が構成され、この局所表示部３２を除くセグメント電極６０によって全体表示部３１が構成されている。そして、局所表示部３２には、所定の情報として計時情報が表示され、利用者が見れば時刻を確認できる。
なお、表示パネル３０は、表示パネル３０全体の矩形領域からすべてのセグメント電極６０および局所表示部３２を除いた領域である背景表示部の表示を行うため、図示しない２つの駆動電極を有する。
【００２４】
［４．表示パネル３０における各表示要素］
図５および図６に、表示パネル３０に設けられている各セグメント電極６０による表示をその種類毎に分けて示す。なお、図４と同様、図５、図６においても、各セグメント電極６０に対応する表示パネル３０の領域は黒色で表示されている。
図５（Ａ）は「時」を表示する時系列で一連の１２個の時表示５１０を示し、各時表示５１０は、表示パネル３０の一方の長辺側に沿って所定間隔で規則的に配置されている。
また、図５（Ｂ）は「分」の十の位を表示する時系列で一連の６個の十分桁表示５２１を示し、各十分桁表示５２１は、時表示５１０が配置されている側と反対側の表示パネル３０の長辺方向に沿って所定間隔で規則的に配置されている。
そして、図５（Ｃ）は「分」の一の位を表示する時系列で一連の１０個の一分桁表示５２２を示し、各一分桁表示５２２は、時表示５１０と十分桁表示５２１との間となる表示パネル３０の幅方向略中央に配置されている。
このような時表示５１０、十分桁表示５２１、および一分桁表示５２２それぞれの表示パネル３０における表示位置の相違に基づき、これら時表示５１０、十分桁表示５２１、および一分桁表示５２２を容易に判別可能となる。
【００２５】
ここで、これら図５（Ａ）〜（Ｃ）にそれぞれ示す時表示５１０、十分桁表示５２１、および一分桁表示５２２はいずれも、数字で表され、その数字のフォントサイズ（字の大きさ）は互いに相違する。本実施形態では、フォントサイズの大きい順に、十分桁表示５２１、一分桁表示５２２、時表示５１０となっており、上記の表示位置の相違に加えて、フォントサイズの相違に基づいても、これら十分桁表示５２１、一分桁表示５２２、時表示５１０を容易に判別可能となる。
【００２６】
図６は、パネルのヒビ割れを画像で表現するヒビ表示５３１と、目を描画するスリープ表示５３２と、「ＬＯＷ」の文字列で表示する電池残量低下表示５３３とをそれぞれ示す。なお、ヒビ表示５３１は、後述するタイム表示時、あるいは毎正時などに実行されるアニメーション表示動作の開始時に表示される装飾表示であり、スリープ表示５３２は通常モードよりも省電力で動作する省電力モード時に表示される。
【００２７】
［５．表示パネル３０における飾り板５０］
図７は、表示パネル３０に対する飾り板５０の配置位置を示している。
図７に示すように、表示パネル３０は、その長手方向の両端部３３が互いに所定寸法だけ離れて配置されている。この両端部３３間には、図示しない電池等の部材が配置されている。また、この表示パネル３０の両端部３３間を覆うカバー部材としての飾り板５０が両端部３３を跨いで配置されている。この飾り板５０は、ケース２の外周に沿って曲げられた状態で配置され、表面には装飾が施されている。このようにして、表示パネル３０の両端部３３間に電池等の部材を配置することで、表示パネル３０と電池等の部材とを重ねて配置する場合と比べて、時計１の表示部分の薄型化を図ることができる。さらに、表示パネル３０の両端部３３間に配置される図示しない電池等の部材が、飾り板５０によって覆われて外部から見えなくなるので、デザイン上、露出させたくない電池等の部材を隠すことができるので、装飾性を高め、良好な外観を得ることができる。
【００２８】
ケース２には、３つの操作ボタン４３Ａ〜４３Ｃが設けられており、操作ボタン４３Ａ（図中、押された状態で示されるボタン）が飾り板５０に最も接近して設けられている。局所表示部３２は、表示パネル３０の長手方向の一端部に設けられるとともに、飾り板５０の近傍に配置されている。また、局所表示部３２の近傍に、操作ボタン４３Ａが配置されている。このようにして、操作ボタン４３Ａを押し込んだ状態で、その押し込んだ方向のすぐ先の表示パネル３０に局所表示部３２による時刻が表示されるようになっている。
【００２９】
図８は、局所表示部３２、飾り板５０および操作ボタン４３Ａの互いの位置関係を模式的に示す。局所表示部３２は、飾り板５０の近傍に配置されている。具体的には、図８に示すように、ケース２の外周面に対する曲率中心を中心Ｏをとすると、局所表示部３２は、飾り板５０の一端から中心Ｏにおける中心角が角度Ａとなる範囲内の表示パネル３０上に配置されている。なお、角度Ａは、４５度に設定されている。
さらに、局所表示部３２は、操作ボタン４３Ａの近傍となるように配置されている。具体的には、局所表示部３２は、操作ボタン４３Ａから表示パネル３０の長手方向に沿って両方向に、中心Ｏにおける中心角がそれぞれ角度Ｂとなる範囲内の表示パネル３０上に配置されている。なお、角度Ｂは、３０度に設定されている。
このように、局所表示部３２は、飾り板５０に対しては、中心Ｏにおける中心角が角度Ａとなる範囲内で、かつ、操作ボタン４３Ａに対しては、中心Ｏにおける中心角が角度Ｂとなる範囲内に配置されている。
【００３０】
［６．時刻情報の表示態様］
図９は、時計１のグラフィック表示を示し、このグラフィック表示では、現在時刻が表示パネル３０の全体表示部３１に表示されている。
図９で表示されている現在時刻は８時２７分であり、「８」に係る時表示５１０と、「２」に係る十分桁表示５２１と、「７」に係る一分桁表示５２２とがそれぞれ黒色で表示されている。また、黒色で表示されない各セグメント電極６０に対応する領域、および背景表示電極（図示せず）の領域は、白色で表示され、表示パネル３０における背景表示を構成している。
時間経過に応じて、各時表示５１０、各十分桁表示５２１、および各一分桁表示５２２のそれぞれから特定情報として黒色で表示する情報が順次選択される。すなわち、時刻が表示される位置が時間経過によって表示パネル３０上の異なる位置に移り変わるので、この時間の変化について、時計１の使用者を楽しませることができる。
【００３１】
図１０は、時計１のタイム表示を示し、このタイム表示では、現在時刻が表示パネル３０の局所表示部３２に表示されている。また、タイム表示では、ヒビ表示５３１の一部が全体表示部３１に表示されている。
以上のような、グラフィック表示およびタイム表示は、操作ボタン４３Ａを押すことによって、交互に切り替わるようになっている。このような構成において、使用者が操作ボタン４３Ａを押すと、表示パネル３０の表示が、デザインされた画像が全体表示部３１に表示されるグラフィック表示から、計時情報が局所表示部３２に表示されるタイム表示に切り替わる。このように、全体表示部３１にデザインされた画像が表示されている状態において、使用者が計時情報を確認したい場合には、操作ボタン４３Ａを押すことによって、計時情報を容易に確認することができる。
【００３２】
［７．本実施形態による効果］
本実施形態によれば、次のような効果を奏することができる。
（１）表示パネル３０がリング状のケース２の周面に配置されているので、使用者が全体表示部３１の一部を正面から見た場合に、当該全体表示部３１の他の一部が使用者の視界に入らないケース２の反対側の周面に配置されてしまい、全体表示部３１の表示の少なくとも一部が隠れてしまう。このような場合には、使用者が時計１を移動させる、あるいは、使用者自身が移動することで、隠れている表示を見る必要がある。これに対して、本発明によれば、使用者が操作ボタン４３Ａを操作することによって、操作ボタン４３Ａの近傍の局所表示部３２に計時情報が表示されるので、使用者が計時情報を容易に確認することができ、操作性を向上させることができる。
【００３３】
（２）局所表示部３２が表示パネル３０の長手方向の端部で、飾り板５０の付近に設けられているので、全体表示部３１が当該局所表示部３２によって分断されずにすむ。従って、全体表示部３１に計時情報に応じたアニメーションや画像などを分断されることなく表示できるので、時計１の意匠性を向上させることができる。
【００３４】
（３）飾り板５０が表示パネル３０の両端間を覆うように配置されているので、帯状の表示パネル３０のつなぎ目が隠れ、良好な外観が得られる。
【００３５】
（４）全体表示部３１にデザインされた画像が表示されるので、使用者が全体表示部３１に表示される画像を見て楽しむことができる。
【００３６】
［８．本発明の変形例］
なお、本発明は前述の実施形態に限定されるものではなく、本発明の目的を達成できる範囲での変形、改良等は本発明に含まれるものである。
【００３７】
例えば、前記実施形態では、局所表示部３２が表示パネル３０の長手方向の端部に設けられた場合を説明したが、本発明では、局所表示部３２は、表示パネル３０の長手方向の中間位置に設けられていてもよい。図１１は、前記実施形態の変形例に係る電子時計１Ａにおける局所表示部３２および操作ボタン４３Ａの互いの位置関係を模式的に示したものである。局所表示部３２は、操作ボタン４３Ａの近傍に配置されている。具体的には、図１１に示すように、局所表示部３２は、操作ボタン４３Ａから表示パネル３０の長手方向に沿って両方向に、中心Ｏにおける中心角がそれぞれ角度Ｂとなる範囲内の表示パネル３０上に配置されている。なお、角度Ｂは、３０度に設定されている。
【００３８】
また、前記実施形態では、表示パネル３０の両端部３３が互いに所定寸法離れて配置されているが、これに限らない。例えば、表示部である表示パネルの両端部は、互いにつき合せて間隔が空かないように配置されていてもよい。あるいは、表示部の両端部が重なるように配置してもよい。このようにすれば、表示部の両端部の継ぎ目が目立たないようにすることができ、カバー部材である飾り板の周方向に沿った長さ寸法を小さくすることができる。
また、前記実施形態では、表示装置としての時計が表示パネル３０の両端部３３間を覆う飾り板５０を備えているが、カバー部材としての飾り板を備えない表示装置であってもよい。
【００３９】
また、前記実施形態では、所定の径寸法のケース２と飾り板５０とを備える電子時計１を例にして説明したが、例えば、径寸法の異なるケースと、このケースの径寸法に対応した周方向の長さ寸法を有するカバー部材である飾り板と、前記実施形態と同じ表示部である表示パネルとを備えるサイズ違いの時計としてもよい。このような時計を組み立てる際には、前記実施形態と同様に、ケースの外周面に、表示パネルを配置した後、この表示パネルの両端部を覆うように、飾り板を配置すればよい。このように、ケースの径寸法が異なる場合でも飾り板の周方向の長さ寸法を変更するだけで、共通の表示パネルを使用することができる。従って、部品の共通化が可能で、コストダウンを図ることができる。
【００４０】
また、前記実施形態では、入力手段を備えた電子時計を説明したが、入力手段を備えない電子時計であってもよい。このような電子時計では、入力手段による表示切替を行わず、例えば、全体表示部に絵柄や模様が表示され、局所表示部に時刻が表示されるようになっている。また、局所表示部はカバー部材の近傍に設けられている。このような構成によれば、使用者がカバー部材を目印として局所表示部の表示位置をすぐに見つけることができるので、使用者が所定の情報を容易に確認することができる。
【００４１】
また、前記実施形態では、計時情報を表示する表示装置を説明したが、計時情報以外の情報を表示する表示装置でもよい。例えば、温度を表示する表示装置でもよい。このような場合には、全体表示部に温度がグラフィック表示され、局所表示部に温度が数字で表示されるようにしてもよい。
【００４２】
また、前記実施形態では、全体表示部に計時情報に応じたデザインされた画像が表示される説明をしたが、これに限らず、全体表示部には、絵柄や模様が表示されてもよい。
また、前記実施形態では、計時情報に応じたデザインされた数字が規則的に配列された全体表示部を説明したが、これに限らず、計時情報に応じたデザインされた数字が不規則に配列された全体表示部であってもよい。
【００４３】
また、前記実施形態では、局所表示部３２が飾り板５０に対しては、図８に示す中心Ｏにおける中心角が角度Ａとなる範囲内で、かつ、操作ボタン４３Ａに対しては、中心Ｏにおける中心角が角度Ｂとなる範囲内に配置されていると説明したが、これに限らない。例えば、局所表示部は、入力手段およびカバー部材の近傍に設けられていればよく、例えば、使用者が入力手段を操作した際に、局所表示部が自然と使用者の視界に入る程度の近さに当該局所表示部が設けられていればよい。また、局所表示部とカバー部材との間に他の表示領域を形成することができない程度に両者が隣り合って配置されていればよい。
【００４４】
また、前記実施形態では、円環状のケースを例にして説明したが、本発明での略リング状のケースは、完全なリング状に形成されていてもよく、また、途中で分断された不完全なリング状、例えば断面略Ｃ字状または断面略コ字状に形成されていてもよい。
【００４５】
また、前記実施形態では、電子時計を例にして説明したが、本発明では、例えば、携帯電話、ディジタルカメラ、ＰＤＡ（Personal Digital Assistants ）等でもよい。要するに、時刻表示に限らず各種情報を表示するという機能を発揮できる表示装置であればよい。また、表示装置としては、腕等に装着して利用されるものに限らず、任意の場所に置いて使用するものであっても、鎖等で壁等に吊り下げて使用するものでもよい。
【００４６】
また、前期実施形態では、表示部として電気泳動表示パネルを利用したものを例にして説明したが、本発明の表示部としては、例えば、有機ＥＬパネルを利用したものでもよい。要するに、略筒状に湾曲できる帯状の表示部であればよい。
【００４７】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００４８】
【図１】本発明の一実施形態に係る電子時計の外観斜視図。
【図２】前記電子時計の表示パネルおよび回路基板の平面図。
【図３】前記電子時計の表示モジュールの電気的構成を示すブロック図。
【図４】前記表示パネルの平面図。
【図５】前記表示パネルにおける時表示、十分桁表示、および一分桁表示を示す図。
【図６】前記表示パネルにおける装飾表示を示す図。
【図７】前記電子時計の局所表示部の配置位置を示す図。
【図８】前記電子時計の入力手段とカバー部材と局所表示部との位置関係を示す模式図。
【図９】前記表示パネルの通常の時刻表示を示す図。
【図１０】前記表示パネルの他の時刻表示を示す図。
【図１１】前記実施形態の変形例に係る電子時計の入力手段と局所表示部との位置関係を示す模式図。
【符号の説明】
【００４９】
１，１Ａ…電子時計（表示装置）、２…ケース、３０…表示パネル（表示部）、３１…全体表示部、３２…局所表示部、４３Ａ…操作ボタン（入力手段）、５０…飾り板（カバー部材）。
【図１】
2008165155.tif 000003
【図２】
2008165155.tif 000004
【図３】
2008165155.tif 000005
【図７】
2008165155.tif 000006
【図８】
2008165155.tif 000007
【図１１】
2008165155.tif 000008
【図４】
2008165155.tif 000009
【図５】
2008165155.tif 000010
【図６】
2008165155.tif 000011
【図９】
2008165155.tif 000012
【図１０】
2008165155.tif 000013